【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
複数種の絵柄が周方向に付された複数の周回体と、
各前記周回体について各絵柄のうち一部の絵柄を視認可能とする表示部と、
操作された場合に各前記周回体の回転が開始される始動操作手段と、
前記周回体毎に設けられ、各周回体を回転させる駆動手段と、
操作された場合に各前記周回体の回転が停止される停止操作手段と、
前記始動操作手段が操作された場合に、特定の絵柄組合せを所定位置に停止させることが可能か否かの抽選を行う抽選手段と、
各前記周回体における予め定められた基準部位が所定位置を通過したことに基づいて各前記周回体の回転中の絵柄位置を把握する第１回転中絵柄位置把握手段と、
前記第１回転中絵柄位置把握手段の把握結果に基づいて、前記周回体の回転が停止した場合における絵柄位置を把握する停止絵柄位置把握手段と、
前記駆動手段が駆動されて各前記周回体が回転される場合に、前記停止絵柄位置把握手段の把握結果を更新することにより前記周回体の回転中の絵柄位置を把握する第２回転中絵柄位置把握手段と、
前記始動操作手段が操作された場合に各前記周回体の回転を開始させ、前記停止操作手段が操作された場合に前記第２回転中絵柄位置把握手段による絵柄位置把握結果に基づいて各前記周回体の回転を停止させるように、各前記駆動手段を駆動制御する駆動制御手段と、
を備え、
前記抽選手段の抽選結果を各前記周回体の停止態様によって表示可能な遊技機において、
前記周回体の回転が開始してから予め定められた無効期間が経過するまで、前記停止操作手段の操作又は操作結果を無効とする無効化手段と、
前記停止絵柄位置把握手段によって把握される絵柄位置把握結果に基づいて、前記無効期間である第１無効期間中に、所定の絵柄組合せに揃えた所定絵柄組合せを形成するよう各前記駆動手段を駆動制御する所定絵柄組合せ形成手段と、
前記所定絵柄組合せが前記表示部から視認できる状況下にて、前記所定絵柄組合せの認識性を向上可能な補助演出を行う補助演出手段と、
前記所定絵柄組合せ形成手段による処理を実行しない場合の前記無効期間であって前記第１無効期間よりも短く設定された第２無効期間中に、各前記周回体を前記停止操作手段による操作又は操作結果が有効となる設定回転速度に至らしめるべく各前記駆動手段を準備段階として駆動制御する準備駆動制御手段と、
前記第１回転中絵柄位置把握手段により把握される絵柄位置と、前記第２回転中絵柄位置把握手段により把握される絵柄位置とが異なる異常状態であるか否かの判定を行う判定手段と、
前記判定手段の判定結果が前記異常状態に対応する判定結果である場合に、前記補助演出手段による補助演出を不実行とする補助演出不実行手段と、
前記判定手段の判定結果が前記異常状態に対応する判定結果である場合に、前記所定絵柄組合せ形成手段による駆動制御を中止させる所定絵柄組合せ形成中止手段と、
前記所定絵柄組合せ形成中止手段が前記所定絵柄組合せ形成手段による駆動制御を中止させる場合、前記準備駆動制御手段により各前記駆動手段を駆動制御させる所定絵柄組合せ形成中止時駆動制御手段と、
を備え、
複数の前記周回体として、第１周回体、第２周回体及び第３周回体を有し、
前記所定絵柄組合せ形成手段は、前記第１周回体、前記第２周回体及び前記第３周回体の回転が順次開始されるように各前記駆動手段を駆動制御して、前記所定絵柄組合せを形成させる構成であり、
前記第１回転中絵柄位置把握手段は、前記基準部位が前記所定位置を通過したことを前記周回体毎に検出する通過検出手段を備え、その通過検出手段の検出結果に基づいて各前記周回体の回転中の絵柄位置を把握するものであり、
前記判定手段は、
前記第１周回体についての前記通過検出手段による判定結果に基づいて、当該第１周回体について前記異常状態であるか否かの判定を行う第１判定手段と、
前記第２周回体についての前記通過検出手段による判定結果に基づいて、当該第２周回体について前記異常状態であるか否かの判定を行う第２判定手段と、
前記第３周回体についての前記通過検出手段による判定結果に基づいて、当該第３周回体について前記異常状態であるか否かの判定を行う第３判定手段と、
を備え、
前記第１判定手段は、前記第１周回体の回転が開始され、前記第２周回体及び前記第３周回体の回転が開始されていない状況で前記判定を実行するものであり、且つ前記第１周回体、前記第２周回体及び前記第３周回体の回転が開始された後の状況で前記判定を実行するものであり、
前記第２判定手段は、前記第１周回体及び前記第２周回体の回転が開始され、前記第３周回体の回転が開始されていない状況で前記判定を実行するものであり、且つ前記第１周回体、前記第２周回体及び前記第３周回体の回転が開始された後の状況で前記判定を実行するものであることを特徴とする遊技機。
【手続補正２】
【補正対象書類名】明細書
【補正対象項目名】０００７
【補正方法】変更
【補正の内容】
【０００７】
上記課題を解決するため、請求項１記載の発明は、
複数種の絵柄が周方向に付された複数の周回体と、
各前記周回体について各絵柄のうち一部の絵柄を視認可能とする表示部と、
操作された場合に各前記周回体の回転が開始される始動操作手段と、
前記周回体毎に設けられ、各周回体を回転させる駆動手段と、
操作された場合に各前記周回体の回転が停止される停止操作手段と、
前記始動操作手段が操作された場合に、特定の絵柄組合せを所定位置に停止させることが可能か否かの抽選を行う抽選手段と、
各前記周回体における予め定められた基準部位が所定位置を通過したことに基づいて各前記周回体の回転中の絵柄位置を把握する第１回転中絵柄位置把握手段と、
前記第１回転中絵柄位置把握手段の把握結果に基づいて、前記周回体の回転が停止した場合における絵柄位置を把握する停止絵柄位置把握手段と、
前記駆動手段が駆動されて各前記周回体が回転される場合に、前記停止絵柄位置把握手段の把握結果を更新することにより前記周回体の回転中の絵柄位置を把握する第２回転中絵柄位置把握手段と、
前記始動操作手段が操作された場合に各前記周回体の回転を開始させ、前記停止操作手段が操作された場合に前記第２回転中絵柄位置把握手段による絵柄位置把握結果に基づいて各前記周回体の回転を停止させるように、各前記駆動手段を駆動制御する駆動制御手段と、
を備え、
前記抽選手段の抽選結果を各前記周回体の停止態様によって表示可能な遊技機において、
前記周回体の回転が開始してから予め定められた無効期間が経過するまで、前記停止操作手段の操作又は操作結果を無効とする無効化手段と、
前記停止絵柄位置把握手段によって把握される絵柄位置把握結果に基づいて、前記無効期間である第１無効期間中に、所定の絵柄組合せに揃えた所定絵柄組合せを形成するよう各前記駆動手段を駆動制御する所定絵柄組合せ形成手段と、
前記所定絵柄組合せが前記表示部から視認できる状況下にて、前記所定絵柄組合せの認識性を向上可能な補助演出を行う補助演出手段と、
前記所定絵柄組合せ形成手段による処理を実行しない場合の前記無効期間であって前記第１無効期間よりも短く設定された第２無効期間中に、各前記周回体を前記停止操作手段による操作又は操作結果が有効となる設定回転速度に至らしめるべく各前記駆動手段を準備段階として駆動制御する準備駆動制御手段と、
前記第１回転中絵柄位置把握手段により把握される絵柄位置と、前記第２回転中絵柄位置把握手段により把握される絵柄位置とが異なる異常状態であるか否かの判定を行う判定手段と、
前記判定手段の判定結果が前記異常状態に対応する判定結果である場合に、前記補助演出手段による補助演出を不実行とする補助演出不実行手段と、
前記判定手段の判定結果が前記異常状態に対応する判定結果である場合に、前記所定絵柄組合せ形成手段による駆動制御を中止させる所定絵柄組合せ形成中止手段と、
前記所定絵柄組合せ形成中止手段が前記所定絵柄組合せ形成手段による駆動制御を中止させる場合、前記準備駆動制御手段により各前記駆動手段を駆動制御させる所定絵柄組合せ形成中止時駆動制御手段と、
を備え、
複数の前記周回体として、第１周回体、第２周回体及び第３周回体を有し、
前記所定絵柄組合せ形成手段は、前記第１周回体、前記第２周回体及び前記第３周回体の回転が順次開始されるように各前記駆動手段を駆動制御して、前記所定絵柄組合せを形成させる構成であり、
前記第１回転中絵柄位置把握手段は、前記基準部位が前記所定位置を通過したことを前記周回体毎に検出する通過検出手段を備え、その通過検出手段の検出結果に基づいて各前記周回体の回転中の絵柄位置を把握するものであり、
前記判定手段は、
前記第１周回体についての前記通過検出手段による判定結果に基づいて、当該第１周回体について前記異常状態であるか否かの判定を行う第１判定手段と、
前記第２周回体についての前記通過検出手段による判定結果に基づいて、当該第２周回体について前記異常状態であるか否かの判定を行う第２判定手段と、
前記第３周回体についての前記通過検出手段による判定結果に基づいて、当該第３周回体について前記異常状態であるか否かの判定を行う第３判定手段と、
を備え、
前記第１判定手段は、前記第１周回体の回転が開始され、前記第２周回体及び前記第３周回体の回転が開始されていない状況で前記判定を実行するものであり、且つ前記第１周回体、前記第２周回体及び前記第３周回体の回転が開始された後の状況で前記判定を実行するものであり、
前記第２判定手段は、前記第１周回体及び前記第２周回体の回転が開始され、前記第３周回体の回転が開始されていない状況で前記判定を実行するものであり、且つ前記第１周回体、前記第２周回体及び前記第３周回体の回転が開始された後の状況で前記判定を実行するものであることを特徴とする。